(57)【要約】【課題】不必要な情報を削減した効率的なセル情報テーブルを作成し、通信情報以外の制御情報の増加を抑制できるセル制御方法を実現する。【解決手段】経路予想部１０５は、基地局１０１から移動局１０２との接続が開始された旨の通知を受けたとき、その移動局と基地局との接続情報とデータベース１０６の内容とに基づきその移動局の移動経路を予測し、この予測した移動経路上に存在する基地局情報１１０をリストアップしその後更新操作を実行するか否かを示すセル更新フラグ１１１と共に設定したセル情報テーブル１０７を生成する。これが移動局１０２に送信される。基地局制御部１０４は、セル情報テーブルの生成後に、基地局から接続切替の通知があったとき、更新フラグを調べ、更新操作を実行するフラグであるとき、経路予想部１０５に対しセル情報テーブルの生成指示を出す。【選択図】      図１
2004221719.tif 000002
【特許請求の範囲】
【請求項１】
サービスエリア内の各無線エリアを形成する複数の基地局と、前記複数の基地局が形成する無線エリア内で移動しつつ基地局に対しＣＤＭＡ無線チャネルを介して接続される移動局と、前記複数の基地局の上位にあって、前記移動局が接続先となる基地局を選択するのに用いるセル情報テーブルを生成し、基地局を介して移動局に通知する基地局統括装置とを具備するＣＤＭＡ移動通信システムにおいて、前記基地局統括装置は、前記サービスエリアを構成するセルの構成情報と前記移動局が移動する各種の経路情報とが格納されるデータベースと、前記基地局から移動局との接続が開始された旨の通知を受けたとき、その移動局と基地局との接続情報と前記データベースの内容とに基づきその移動局の移動経路を予測し、この予測した移動経路上に存在する基地局情報をリストアップしその後更新操作を実行するか否かを示す更新フラグと共に設定した前記セル情報テーブルを生成する経路予想手段と、前記セル情報テーブルの生成後に、基地局から接続切替の通知があったとき、前記更新フラグを調べ、更新操作を実行するフラグであるとき、前記経路予想手段に対しセル情報テーブルの生成指示を出す制御手段と、を具備することを特徴とするＣＤＭＡ移動通信システム。
【請求項２】
前記基地局統括装置は、前記経路予想手段が生成した前記セル情報テーブルに、前記データベースに格納された経路情報から接続先となる基地局の尤度情報を求めて付加する手段、を具備し、前記移動局は、前記セル情報テーブルに付加された尤度情報に基づいて基地局の切り替え制御を実行する際に、前記尤度情報を自移動局の現在位置に適合した尤度情報に変更する手段、を具備することを特徴とする請求項１記載のＣＤＭＡ移動通信システム。
【請求項３】
前記基地局統括装置は、前記経路予想手段が生成した前記セル情報テーブルに、前記データベースに格納された経路情報から接続先となる基地局の経路長情報を求めて付加する手段、を具備し、前記移動局は、前記セル情報テーブルに付加された経路長情報と基地局との接続情報とから移動時間を予測し、その予測した移動時間に基づく尤度情報を算出し、前記算出した尤度情報に基づいて基地局の切り替え制御を実行する手段、を具備することを特徴とする請求項１記載のＣＤＭＡ移動通信システム。
【発明の詳細な説明】
【０００１】
【発明の属する従来分野】
本発明は、ＣＤＭＡ（符号分割多元接続：Ｃｏｄｅ  Ｄｉｖｉｓｉｏｎ  Ｍｕｌｔｉｐｌｅ  Ａｃｃｅｓｓ）移動通信システムに関するものである。
【０００２】
【従来の技術】
ＣＤＭＡ移動通信システムでは、サービスエリアをセルと呼ばれる一定の無線エリアを有する基地局によって覆うセル構成が用いられている。基地局を介して通信を行う移動局は、セル間を移動しつつ通信を継続する場合には基地局の切り替え制御（以下、「セル制御」という）を行うが、従来、一般的に行われているセル制御方法は、現在通信中の基地局に隣接する複数の基地局の中から選択する方法である（例えば特許文献１，２）。
【０００３】
以下、図１１、図１２を参照して、従来のセル制御方法の概要を説明する。なお、図１１は、従来のセル制御方法を実施するＣＤＭＡ移動通信システムの構成例を示すブロック図である。図１２は、図１１に示すＣＤＭＡ移動通信システムにて実施される従来のセル制御方法を説明するサービスエリア構成図である。
【０００４】
図１１に示すＣＤＭＡ移動通信システムは、サービスエリア内の各無線エリア（セル）を形成する複数の基地局（＃１〜＃ｎ）１１０１と、これらの基地局が形成するセルを移動しつつ基地局に対しＣＤＭＡ無線チャネルを介して接続される移動局１１０２と、サービスエリア内の複数の基地局（＃１〜＃ｎ）１１０１を統括する基地局統括装置１１０３とを備えている。なお、複数の基地局（＃１〜＃ｎ）１１０１は、以下、単に基地局１１０１と記す。
【０００５】
基地局統括装置１１０３は、上位装置としてサービスエリアのセル構成情報を格納するデータベース１１０４を備えている。
【０００６】
基地局統括装置１１０３は、基地局１１０１から移動局１１０２との接続情報が通知されると、データベース１１０４に格納されたセル構成情報に基づいて移動局１１０２が切り替え先の基地局１１０１を選択する指針として用いるセル情報テーブル１１０５を生成する。
【０００７】
このセル情報テーブル１１０５には、選択した基地局１１０１との通信に必要な情報（ＣＤＭＡ移動通信システムの場合は基地局毎に決められた拡散符号の番号等）が設定される。
【０００８】
生成したセル情報テーブル１１０５は、基地局１１０１を通して移動局１１０２に通知される。以後、移動局１１０２は、通知されたセル情報テーブル１１０５に基づいて基地局１１０１を選択して切り替えを行う。
【０００９】
ここで、セル情報テーブル１１０５には、例えば図１２に示すように、現在通信中の基地局を中心に隣接する基地局が設定され、移動局は、その中から基地局を選択するようになっている。
【００１０】
図１２に示すように、ＣＤＭＡ移動通信システムのサービスエリア１２００は、複数のセル１２０１によって構成されている。なお、セル１２０１内の文字ａ〜ｊは、そのセルを管理する基地局を示している。
【００１１】
図１２において、移動局１１０２が基地局ａとの通信を開始した場合、基地局統括装置１１０３は、移動局の接続先となる基地局として、現在通信中の基地局ａを中心に隣接する基地局（ａ，ｂ，ｃ，ｄ，ｅ，ｆ，ｇ）を含むサービスエリア１２０２を選択したセル情報テーブル１１０５を生成し、移動局１１０２に通知する。
【００１２】
次に、移動局１１０２がセルａセルｇに移動した場合には、基地局統括装置１１０３は、移動局の接続先となる基地局として、現在通信中の基地局ｇを中心に隣接する基地局（ａ，ｂ，ｆ，ｇ，ｈ，ｉ，ｊ）を含むサービスエリア１２０３を選択したセル情報テーブル１１０５を生成し、移動局１１０２に通知する。
【００１３】
移動局１１０２は、移動したセルの周辺に存在する基地局を、このように通知されたセル情報テーブル１１０５に設定されている基地局の中から選択することにより継続的な通信を実現している。
【００１４】
【特許文献１】
特開平５−２５９９７２号公報：００１８〜００２４：図１〜図５
【特許文献２】
特開平９−２６１７１１号公報：００２０〜００３９：図１〜図９
【００１５】
【発明が解決しようとする課題】
しかしながら、従来のセル制御方法では、セル情報テーブルに現在接続中の基地局に隣接した複数のセルを設定するので、実際に移動局が通信する可能性のない基地局の情報もセル情報テーブルに設定され、非効率的であった。また、移動局が基地局の切り替えを行う毎に基地局からセル情報テーブルを送信するので、通信情報以外の制御情報が増加するという問題もあった。
【００１６】
本発明は、かかる点に鑑みてなされたものであり、不必要な情報を削減した効率的なセル情報テーブルを作成し、通信情報以外の制御情報の増加を抑制できるセル制御方法を実施するＣＤＭＡ移動通信システムを提供することを目的とする。
【００１７】
【課題を解決するための手段】
本発明のＣＤＭＡ移動通信システムは、サービスエリア内の各無線エリアを形成する複数の基地局と、前記複数の基地局が形成する無線エリア内で移動しつつ基地局に対しＣＤＭＡ無線チャネルを介して接続される移動局と、前記複数の基地局の上位にあって、前記移動局が接続先となる基地局を選択するのに用いるセル情報テーブルを生成し、基地局を介して移動局に通知する基地局統括装置とを具備するＣＤＭＡ移動通信システムにおいて、前記基地局統括装置は、前記サービスエリアを構成するセルの構成情報と前記移動局が移動する各種の経路情報とが格納されるデータベースと、前記基地局から移動局との接続が開始された旨の通知を受けたとき、その移動局と基地局との接続情報と前記データベースの内容とに基づきその移動局の移動経路を予測し、この予測した移動経路上に存在する基地局情報をリストアップしその後更新操作を実行するか否かを示す更新フラグと共に設定した前記セル情報テーブルを生成する経路予想手段と、前記セル情報テーブルの生成後に、基地局から接続切替の通知があったとき、前記更新フラグを調べ、更新操作を実行するフラグであるとき、前記経路予想手段に対しセル情報テーブルの生成指示を出す制御手段と、を具備する構成を採る。
【００１８】
この構成によれば、基地局と移動局の接続情報、基地局の位置情報、経路情報に基づいて移動局が通信する可能性のある基地局を予測し、移動経路上に存在する基地局をリストアップしたセル情報テーブルを作成するようにしたので、不必要な情報を削減した効率的なセル情報テーブルを作成することができる。また、セル情報テーブルには、更新する基地局と更新しない基地局とを区別する更新フラグを設定し、更新する基地局と接続した場合にのみ移動局にセル情報テーブルを通知するようにしたので、通信情報以外の制御情報の増加を抑制することができる。
【００１９】
本発明のＣＤＭＡ移動通信システムは、上記の発明において、前記基地局統括装置は、前記経路予想手段が生成した前記セル情報テーブルに、前記データベースに格納された経路情報から接続先となる基地局の尤度情報を求めて付加する手段、を具備し、前記移動局は、前記セル情報テーブルに付加された尤度情報に基づいて基地局の切り替え制御を実行する際に、前記尤度情報を自移動局の現在位置に適合した尤度情報に変更する手段、を具備する構成を採る。
【００２０】
この構成によれば、上記の発明において、セル情報テーブルに移動局が近い基地局から優先的に基地局の切り替え制御が実行できるように尤度情報を追加したので、移動局は、基地局の切り替え制御の実行時間を短縮することができる。このとき、移動局が切替制御時にその尤度情報を近い基地局に高い尤度を与えるように変更できるようにしたので、セル情報テーブルの更新を伴わずに移動局は基地局の切り替え制御が行えるので、通信情報以外の制御情報の増加を確実に抑制することができる。
【００２１】
本発明のＣＤＭＡ移動通信システムは、上記の発明において、前記基地局統括装置は、前記経路予想手段が生成した前記セル情報テーブルに、前記データベースに格納された経路情報から接続先となる基地局の経路長情報を求めて付加する手段、を具備し、前記移動局は、前記セル情報テーブルに付加された経路長情報と基地局との接続情報とから移動時間を予測し、その予測した移動時間に基づく尤度情報を算出し、前記算出した尤度情報に基づいて基地局の切り替え制御を実行する手段、を具備する構成を採る。
【００２２】
この構成によれば、上記の発明において、セル情報テーブルに経路長情報を追加し、移動局がその経路長情報を用いて各セルへの到達時間を算出し、その到達時間に基づいて算出した尤度情報によって基地局の切り替え制御を実行するようにしたので、移動局は、近々接続する可能性の高い基地局から優先的に切り替える制御をセル情報テーブルの更新を伴わずに実行することができる。したがって、基地局の切り替え制御の実行時間を短縮することができ、また、通信情報以外の制御情報の増加を確実に抑制することができる。
【００２３】
【発明の実施の形態】
本発明の骨子は、不必要な情報を削減した効率的なセル情報テーブルを作成し、通信情報以外の制御情報の増加を抑制できるセル制御方法を実現することである。
【００２４】
以下、本発明の実施の形態について、図面を参照して詳細に説明する。
【００２５】
（実施の形態１）
図１は、本発明の実施の形態１に係るＣＤＭＡ移動通信システムの構成を示すブロック図である。図１に示すＣＤＭＡ移動通信システムは、サービスエリア内の各無線エリア（セル）を形成する複数の基地局（＃１〜＃ｎ）１０１と、これらの基地局が形成するセルを移動しつつ基地局に対しＣＤＭＡ無線チャネルを介して接続される移動局１０２と、サービスエリア内の複数の基地局（＃１〜＃ｎ）１０２を統括する基地局統括装置１０３とを備えている。なお、複数の基地局（＃１〜＃ｎ）１０１は、以下、単に基地局１０１と記す。
【００２６】
基地局統括装置１０３は、セル制御に関わる要素として、基地局制御部１０４と、経路予想部１０５と、データベース１０６と、セル情報テーブル１０７を格納するメモリとを備えている。
【００２７】
データベース１０５には、セル構成情報である基地局の位置情報１０８の他、移動局１０１が辿るであろう各種の経路情報１０９が格納されている。
【００２８】
基地局制御部１０４は、各基地局１０１から移動局１０２との接続有無を示す接続情報を受け取ると、それを経路予想部１０５に通知する。基地局制御部１０４は、経路予想部１０５が生成したセル情報テーブル１０７を基地局１０１を介して移動局１０２に通知する。
【００２９】
また、基地局制御部１０４は、セル情報テーブル１０７を移動局１０２に通知した後に、セル情報テーブル１０７に載っている基地局から切り替えが行われた旨の通知を受け取ると、セル情報テーブル１０７の更新の必要性を調べ、更新の必要があるとき、経路予想部１０５に更新を指示する。
【００３０】
経路予想部１０５は、基地局制御部１０４から上記の通知を受け取ると、各基地局１０１の移動局１０２との接続情報とデータベース１０６に記憶される基地局の位置情報１０８及び経路情報１０９とに基づいて移動局１０２が移動する可能性のある経路を予測し、予測した移動経路上に存在する基地局をリストアップし、それらの基地局情報１１０をセル情報テーブル１０７に設定する。
【００３１】
このとき、経路予想部１０５は、セル情報テーブル１０７に、基地局情報１１０における基地局毎に当該セル情報テーブル１０７の更新操作をするか否かを示すセル更新フラグ１１１を併せて設定する。
【００３２】
その後は、経路予想部１０５は、基地局制御部１０４から上記更新の指示があったときにセル情報テーブル１０７を上記と同様の手順で生成する。つまり、経路予想部１０５は、ある移動局についてセル情報テーブル１０７を作成すると、以後は、更新の必要があるときにのみ、セル情報テーブル１０７を作成するようにしている。
【００３３】
移動局１０２は、基地局１０１を介して基地局統括装置１０３から送られてくるセル情報テーブル１０７をメモリに保存し、それを用いて基地局の切り替え制御を実行する。
【００３４】
次いで、図１〜図４を参照して、以上のように構成されるＣＤＭＡ移動通信システムにおいて実施されるセル制御方法を説明する。なお、図２は、図１に示すＣＤＭＡ移動通信システムにて実施されるセル制御方法を説明するサービスエリア構成図である。図３は、図１に示す経路予想部１０５が生成したセル情報テーブルを示す図である。図４は、図１に示す経路予想部１０５が更新したセル情報テーブルの生成例を示す図である。
【００３５】
図２に示すように、ＣＤＭＡ移動通信システムのサービスエリア２００は、複数のセル２０１によって構成されている。なお、セル２０１内の文字ａ〜ｑは、そのセルを管理する基地局を示している。
【００３６】
図２において、基地局制御部１０４がセルｅの基地局と移動局１０２との接続を検出した場合、経路予想部１０５は、データベース１０６に記憶されるセルｅの基地局の位置情報１０８と経路情報１０９とから移動局が移動する可能性のある経路２０３を予測し、その経路２０３上に存在するセルａからからセルｑまでの基地局を移動局１０２が接続する可能性のある基地局として抽出する。
【００３７】
次に、抽出した基地局の中から、セル情報テーブル１０７に格納できる基地局を現在移動局１０２と接続されている基地局を中心として選択する。即ち、セル情報テーブル１０７に格納できる基地局の最大数を７とした場合は、セルｂからセルｈまでの基地局を選択し、セル情報テーブル１０７を生成する。
【００３８】
セル情報テーブル１０７には、基地局と通信を行う際に必要な基地局情報１１０を移動経路２０２に基づいた順番で格納する。なお、基地局情報１１０には、ＣＤＭＡ通信システムでは基地局毎に決められた拡散符号の番号等が含まれる。
【００３９】
セル情報更新フラグ１１１は、更新操作をする「有効」フラグと更新操作をしない「無効」フラグとからなり、基地局情報１１０における基地局と１対１に対応して設定される。例えば、予測された移動局の移動経路２０３の端に位置する基地局（今の例ではセルｈとセルｂの基地局）に対しては「有効」フラグを設定し、それ以外の基地局には「無効」フラグを設定する。以上の処理を行うことによって、図３に示すセル情報テーブル３００が生成される。図３に示すセル情報更新フラグ３０１では、上記の「有効」フラグと「無効」フラグとが設定された様子が示されている。
【００４０】
このように生成されたセル情報テーブル１０７は、移動局１０２に通知され、保存される。移動局１０２は、通知されたセル情報テーブル１０７に基づいて基地局の切り替え制御を実行する。そして、移動局１０２により基地局の切り替え制御が実行された場合、基地局制御部１０４は、当該移動局１０２に関わるセル情報テーブル１０７において、移動局１０２との接続が開始された基地局に対応するセル更新フラグ１１１の値を調べる。セル情報更新フラグ１１１が「有効」フラグであった場合、基地局制御部１０４は、経路予想部１０５に対してセル情報テーブル１０７の更新を指示する。
【００４１】
図３に示すセル情報テーブル３００で言えば、移動局１０２がセルｂもしくはセルｈの基地局と接続された場合が該当する。例えば，移動局１０２がセルｈの基地局と接続された場合に経路予想部１０５は、先に説明した処理を実行してセル情報テーブル１０７（３００）を更新する。その結果、図４に示すセル情報テーブル４００が生成され、移動局１０２に通知される。図４に示すように、セル情報更新フラグ４０１は、今度は、予測された移動局の移動経路２０３の端に位置するセルｆとセルｌとセルｋの基地局には、「有効」フラグが設定され、その他のセルの基地局には「無効」フラグが設定されている。
【００４２】
このように、実施の形態１によれば、基地局と移動局との接続情報、基地局の位置情報、経路情報に基づいて移動局が通信する可能性のある基地局を予測し、移動経路上に存在する基地局をリストアップしたセル情報テーブルを作成するようにしたので、不必要な情報を削減した効率的なセル情報テーブルを作成することができる。
【００４３】
また、そのセル情報テーブルには、更新する基地局と更新しない基地局とを区別するセル情報更新フラグを設定し、更新する基地局と接続した場合にのみ移動局にセル情報テーブルを通知するようにしたので、通信情報以外の制御情報の増加を抑制することができる。
【００４４】
（実施の形態２）
図５は、本発明の実施の形態２に係るＣＤＭＡ移動通信システムの構成を示すブロック図である。なお、図５では、実施の形態１（図１）に示した構成と同一ないしは同等である構成要素には同一の符号が付されている。ここでは、この実施の形態２に関わる部分を中心に説明する。また、図２に示したサービスエリアの構成は、この実施の形態２においても同様に適用される。
【００４５】
図５に示すように、実施の形態２に係るＣＤＭＡ移動通信システムでは、実施の形態１（図１）に示した構成において、基地局統括装置１０３では、尤度付加部５０１が追加されている。また、セル情報テーブル１０７に代えて、セル情報テーブル５０２となっている。
【００４６】
セル情報テーブル５０２には、基地局情報１１０とセル更新フラグ１１１の他に尤度情報５０３が追加されている。また、移動局１０２では、セル情報テーブル１０７に代えて、セル情報テーブル５０２となっている。そして、セル情報制御部５０４が付加されている。
【００４７】
以上の構成において、尤度付加部５０１は、経路予想部１０５で生成されたセル情報テーブルとデータベース１０６の経路情報１０９とに基づいて、基地局に対する尤度を示す尤度情報５０３を付加したセル情報テーブル５０２を作成する。
【００４８】
尤度情報５０３には、移動局１０２が接続されている基地局の尤度を最も高く設定される。それ以外の基地局の尤度は、移動局１０２が接続されている基地局から移動経路の端に位置する基地局（図２ではセルｈとセルｂの基地局）に近づくに従って段階的に低くなるように設定される。
【００４９】
図２の例において、移動局１０２がセルｅの基地局と接続されている場合、尤度付加部５０１は、図６に示すセル情報テーブル６００を生成する。即ち、図６において、セル情報テーブル６００には、尤度情報６０１が追加されている。この尤度情報６０１は、セルｅの基地局が最も高く「４」が設定され、ここから移動経路の端（セルｂとセルｈ）に向かって「３」「２」「１」と段階的に低く設定されている。
【００５０】
尤度付加部５０１によって作成されたセル情報テーブル５０２（６００）は移動局１０２に通知される。移動局１０２は、通知されたセル情報テーブル５０２（６００）に基づいて、セル情報テーブル５０２（６００）内の尤度情報５０３（６０１）が高い基地局から順番に切り替え制御を試みる。
【００５１】
移動局１０２によって基地局の切り替え制御が実行された場合、セル情報制御部５０４は、基地局の切り替え制御実行前に接続されていた基地局の情報と基地局の切り替え制御実行後に接続された基地局の情報とから、移動局に近づいた基地局に対する尤度が高くなるように尤度情報６０１を変更し、また移動局１０２から遠ざかった基地局に対する尤度が低くなるように尤度情報６０１を変更する。
【００５２】
セル情報制御部５０４の具体的動作を図２、図６、図７を用いて説明する。なお、図７は、図５に示すセル情報制御部５０４が尤度情報を変更したセル情報テーブルを示す図である。
【００５３】
移動局１０２がセルｅの基地局と接続した場合、図６に示すセル情報テーブル６００が移動局１０２に格納される。ここで、移動局１０２がセルｅからセルｆに移動し、セルｆの基地局と接続された場合、セル情報制御部５０４は、移動局１０２に近づいた基地局（図２の例ではセルｆ，ｇ，ｈの基地局）に対する尤度が高くなるように尤度情報６０１を変更し、逆に移動局から遠のいた基地局（図２の例では、セルｂ，ｃ，ｄ，ｅの基地局）に対する尤度が低くなるように尤度情報６０１を変更する。
【００５４】
以上の処理によって、図７に示すセル情報テーブル７００が生成される。図７では、尤度情報７０１は、セルｆの基地局が最も高い「４」に変更され、セルｅ，ｇの基地局が「３」に変更され、セルｄ，ｈの基地局が「２」に変更され、セルｃの基地局が「１」に変更され、最も遠いセルｂの基地局が「０」に変更されている。
【００５５】
移動局１０２は、このように変更したセル情報テーブル７００に基づいてその後の基地局切り替えを実行するので、迅速に切替制御が実行できることになる。なお、セルｆの基地局に対するセル更新フラグ１１１（３０１）は、「無効」フラグであるので、移動局１０２がセルｆの基地局に切り替えても、経路予想部１０５は、テーブルの更新動作は行わない。
【００５６】
このように、実施の形態２によれば、実施の形態１と同様の効果が得られるのに加え、セル情報テーブルに移動局が近い基地局から優先的に基地局の切り替え制御が実行できるように尤度情報を追加したので、移動局は、基地局の切り替え制御の実行時間を短縮することができる。
【００５７】
このとき、移動局が切替制御時にその尤度情報を近い基地局に高い尤度を与えるように変更できるようにしたので、セル情報テーブルの更新を伴わずに移動局は基地局の切り替え制御が行える。したがって、通信情報以外の制御情報の増加を確実に抑制することができる。
【００５８】
（実施の形態３）
図８は、本発明の実施の形態３に係るＣＤＭＡ移動通信システムの構成を示すブロック図である。なお、図８では、実施の形態１（図１）に示した構成と同一ないしは同等である構成要素には同一の符号が付されている。ここでは、この実施の形態３に関わる部分を中心に説明する。また、図２に示したサービスエリアの構成は、この実施の形態３においても同様に適用される。
【００５９】
図８に示すように、実施の形態３に係るＣＤＭＡ移動通信システムでは、実施の形態１（図１）に示した構成において、基地局統括装置１０３では、経路長情報付加部８０１が追加されている。また、セル情報テーブル１０７に代えて、セル情報テーブル８０２となっている。セル情報テーブル８０２には、基地局情報１１０とセル更新フラグ１１１の他に経路長情報８０３が追加されている。
【００６０】
また、移動局１０２では、セル情報テーブル１０７に代えて、セル情報テーブル８０２となっている。そして、尤度計算部８０４とタイマ８０５と尤度情報８０６を格納するメモリとが付加されている。
【００６１】
以上の構成において、経路長情報付加部８０１は、経路予想部１０５で生成されたセル情報テーブルとデータベース１０６内の経路情報１０９とに基づいて、各セルに存在する移動経路の長さを示す経路長情報８０３を付加したセル情報テーブル８０２を作成する。
【００６２】
図２の例で言えば、移動局１０２がセルｅの基地局と接続されている場合に、経路長情報付加部８０１は、図９に示すセル情報テーブル９００を生成する。即ち、図９に示すように、セル情報テーブル９００では、経路長情報９０１が付加されている。例えば、セルｂの基地局に対する経路長は「１」と設定され、セルｈの基地局に対する経路長は「１１」と設定されている。
【００６３】
このように経路長情報８０３（９０１）の付加されたセル情報テーブル８０２（９００）が移動局１０２に通知される。移動局１０２では、尤度計算部８０４が、例えば図１０に示す手順で、セル情報テーブル８０２（９００）の経路長情報８０３（９０１）とタイマ８０５の値とから基地局の尤度情報８０６を算出し、保存する。
【００６４】
図１０は、尤度計算部８０４の処理手順を説明するフローチャートである。以下、図１０を参照して尤度計算部８０４の尤度計算処理を説明する。セル情報テーブル８０２が移動局に通知されると（ステップＳＴ１００１）、尤度計算部８０４は、タイマ８０５を初期化する（ステップＳＴ１００２）。
【００６５】
その後、移動局１０２が基地局の切り替え制御を実行した場合（ステップＳＴ１００３：Ｙｅｓ）、尤度計算部８０４は、移動速度算出処理（ステップＳＴ１００４）、経路長算出処理（ステップＳＴ１００５）、到達時間予想処理（ステップＳＴ１００６）、及び尤度算出処理（ステップＳＴ１００７）をこの順に実行する。その後は、ステップＳＴ１００１に戻り、以上の動作を繰り返すようになっている。
【００６６】
移動速度算出処理（ステップＳＴ１００４）では、タイマ８０５から基地局の切り替え制御が実行された時のタイマ値を読み出し、セル情報テーブル８０２から前回接続されていた基地局の経路長情報を読み出し、以下の式（１）により移動局の移動速度を予測する。
移動速度＝（前回接続されていた基地局の経路長情報）÷（基地局の切り替え制御が実行された時のタイマ値）    ・・・（１）
【００６７】
経路長算出処理（ステップＳＴ１００５）では、セル情報テーブル８０２から経路長情報８０３を読み出し、現在の接続中の基地局が存在するセルからセル情報テーブル８０５に存在する各セル間の経路長情報を算出する。図２の例で言えば、移動局１０２がセルｆの基地局と接続された場合、各セルの経路長情報は図９に示した経路長情報９０１の値を用いて以下のように計算される。なお、現在接続中の基地局に対する経路長情報は「０」が設定されているとする。
【００６８】
セルｂの経路長情報＝１＋１０＋１＋６＝１８
セルｃの経路長情報＝    １０＋１＋６＝１７
セルｄの経路長情報＝          １＋６＝７
セルｅの経路長情報＝              ６＝６
セルｇの経路長情報＝２              ＝２
セルｈの経路長情報＝２＋１１        ＝１３
【００６９】
到達時間予測処理（ステップＳＴ１００６）では、経路長算出処理（ステップＳＴ１００５）にて算出された各セルの経路長情報と、移動速度算出処理（ステップＳＴ１００４）にて算出された移動速度とから移動局が各セルに到達する到達時間を以下の式（２）によって算出する。
セルＮへの到達時間＝（セルＮの経路長情報）÷（移動局の移動速度）…（２）
【００７０】
尤度算出処理（ステップＳＴ１００７）では、到達時間予想処理（ステップＳＴ１００６）にて算出された各セルへの到達時間に基づき、到達時間が短いセルへの尤度を高く設定し、逆に到達時間が長いセルへの尤度を低く設定した尤度情報８０６を生成する。
【００７１】
移動局１０２は、このようにして生成された尤度情報８０６に基づき基地局の切り替え制御を実行する。その結果、短時間に基地局の切り替え制御が行えるようになる。
【００７２】
このように、実施の形態３によれば、実施の形態１と同様の効果が得られるのに加え、セル情報テーブルに経路長情報を追加し、移動局がその経路長情報を用いて各セルへの到達時間を算出し、その到達時間に基づいて算出した尤度情報によって基地局の切り替え制御を実行するようにしたので、移動局は、近々接続する可能性の高い基地局から優先的に切り替える制御をセル情報テーブルの更新を伴わずに実行することができる。したがって、基地局の切り替え制御の実行時間を短縮することができ、また、通信情報以外の制御情報の増加を確実に抑制することができる。
【００７３】
【発明の効果】
以上説明したように、本発明によれば、不必要な情報を削減した効率的なセル情報テーブルを作成し、通信情報以外の制御情報の増加を抑制できるセル制御方法を実施することができる。
【図面の簡単な説明】
【図１】本発明の実施の形態１に係るＣＤＭＡ移動通信システムの構成を示すブロック図
【図２】図１に示すＣＤＭＡ移動通信システムにて実施されるセル制御方法を説明するサービスエリア構成図
【図３】図１に示す経路予想部が生成したセル情報テーブルを示す図
【図４】図１に示す経路予想部が更新したセル情報テーブルの生成例を示す図
【図５】本発明の実施の形態２に係るＣＤＭＡ移動通信システムの構成を示すブロック図
【図６】図５に示す尤度付加部が尤度情報を追加したセル情報テーブルを示す図
【図７】図５に示すセル情報制御部が尤度情報を変更したセル情報テーブルを示す図
【図８】本発明の実施の形態３に係るＣＤＭＡ移動通信システムの構成を示すブロック図
【図９】図８に示す経路長情報付加部が経路長情報を追加したセル情報テーブルを示す図
【図１０】図８に示す尤度計算部の処理手順を説明するフローチャート
【図１１】従来のセル制御方法を実施するＣＤＭＡ移動通信システムの構成例を示すブロック図
【図１２】図１１に示すＣＤＭＡ移動通信システムにて実施される従来のセル制御方法を説明するサービスエリア構成図
【符号の説明】
１０１  基地局（＃１〜＃ｎ）
１０２  移動局
１０３  基地局統括装置
１０４  基地局制御部
１０５  経路予想部
１０６  データベース
１０７，５０２，８０２  セル情報テーブル
５０１  尤度付加部
５０４  セル情報制御部
８０１  経路長情報付加部
８０４  尤度計算部
８０５  タイマ
【図１】
2004221719.tif 000003
【図２】
2004221719.tif 000004
【図３】
2004221719.tif 000005
【図４】
2004221719.tif 000006
【図５】
2004221719.tif 000007
【図６】
2004221719.tif 000008
【図７】
2004221719.tif 000009
【図８】
2004221719.tif 000010
【図９】
2004221719.tif 000011
【図１０】
2004221719.tif 000012
【図１１】
2004221719.tif 000013
【図１２】
2004221719.tif 000014